(57)【要約】【課題】複雑なＡＧＣ動作を用いずに受信ダイナミックレンジの広い受信機を提供する。【解決手段】通過損失が少ない方のサーキュレータ２の出力端子Ｔ１が受信部４と接続され、通過損失が大きい方のサーキュレータ２の出力端子Ｔ２が受信部５に接続される。受信部４，５は共に集積化され、その通過利得は等しい。アンテナからＡ／Ｄコンバータまでの受信利得が最も大きな受信部は受信部４である。受信電力検出回路１００は、受信部４が飽和する信号レベル若しくはＡ／Ｄコンバータ４４がオーバーフローする信号レベルを閾値として保有している。受信電力検出回路１００は、１）検出信号が閾値以下の場合には、受信部４の出力信号を選択する様に信号選択回路７を制御する切替信号を出力し、２）検出信号が閾値を超える場合には、受信部５の出力信号を選択する様に信号選択回路７を制御する切替信号を出力する。【選択図】図１
2010283717.tif 000002
【特許請求の範囲】
【請求項１】
アンテナと、
前記アンテナで受信した受信信号を入力信号とし且つ互いに異なる受信利得を有する複数の受信部と、
前記複数の受信部の内で最も受信利得が大きい受信部が少なくとも飽和状態となったか否かを検出して、前記飽和状態が検出されない場合には前記最も受信利得が大きい受信部を選択する様に指令する第１切替信号を出力する一方、前記飽和状態が検出された場合には前記最も受信利得が大きい受信部を選択しない様に指令する第２切替信号を出力する切替信号発生部と、
前記第１及び第２切替信号の指令内容に応じて前記複数の受信部の内から一つの受信部の出力信号を選択する信号選択回路と
を備えることを特徴とする、
受信機。
【請求項２】
請求項１記載の受信機であって、
前記複数の受信部の各々の出力端毎に設けられ、且つ、対応する受信部により周波数変換されたアナログベースバンド信号をデジタルベースバンド信号に変換する複数のＡ／Ｄコンバータを更に備えており、
前記切替信号発生部は、前記最も受信利得が大きい受信部が前記飽和状態となったか否かの検出に加えて、前記複数のＡ／Ｄコンバータの内で前記最も受信利得が大きい受信部に設けられたＡ／Ｄコンバータがオーバーフロー状態となったか否かをも検出し、前記飽和状態又は前記オーバーフロー状態が検出されない場合には前記第１切替信号を出力する一方、前記飽和状態又は前記オーバーフロー状態が検出された場合には前記第２切替信号を出力することを特徴とする、
受信機。
【請求項３】
請求項２記載の受信機であって、
前記切替信号発生部は、前記最も受信利得が大きい受信部に入力される受信電力レベルを検出し、当該受信部の飽和信号レベル又は当該受信部に対応する前記Ａ／Ｄコンバータがオーバーフローする際の信号レベルを閾値として保有しており、前記被検出受信電力レベルが前記閾値以内の場合には前記第１切替信号を出力する一方、前記被検出受信電力レベルが前記閾値を超える場合には前記第２切替信号を出力することを特徴とする、
受信機。
【請求項４】
請求項２記載の受信機であって、
前記切替信号発生部は、前記最も受信利得が大きい受信部の低雑音増幅器に流れる電流レベルを検出し、当該受信部が飽和する際に流れる電流レベル又は当該受信部に対応する前記Ａ／Ｄコンバータがオーバーフローする際に流れる電流レベルを閾値として保有しており、前記被検出電流レベルが前記閾値以内の場合には前記第１切替信号を出力する一方、前記被検出電流レベルが前記閾値を超える場合には前記第２切替信号を出力することを特徴とする、
受信機。
【請求項５】
請求項２記載の受信機であって、
前記切替信号発生部は、前記最も受信利得が大きい受信部に対応するＡ／Ｄコンバータの出力信号レベルと次に受信利得が大きい受信部に対応するＡ／Ｄコンバータの出力信号レベルとの差分が所定値の場合には前記第１切替信号を出力する一方、前記差分が前記所定値よりも小さい場合には前記第２切替信号を出力することを特徴とする、
受信機。
【請求項６】
アンテナと、
前記アンテナで受信した受信信号を入力信号とし且つ互いに異なる受信利得を有する複数の受信部と、
前記複数の受信部の各々の出力端毎に設けられ、且つ、対応する受信部により周波数変換されたアナログベースバンド信号をデジタルベースバンド信号に変換する複数のＡ／Ｄコンバータと、
第１切替信号及び第２切替信号の指令内容に応じて前記複数の受信部の内から一つの受信部の出力信号を選択する信号選択回路と
を備えており、
前記複数のＡ／Ｄコンバータの内で最も受信利得が大きい受信部に対応するＡ／Ｄコンバータは、当該Ａ／Ｄコンバータに於ける信号処理がオーバーフロー状態となったか否かを検出しており、前記オーバーフロー状態が検出されない場合には前記最も受信利得が大きい受信部を選択する様に指令する前記第１切替信号を出力する一方、前記オーバーフロー状態が検出された場合には前記最も受信利得が大きい受信部を選択しない様に指令する前記第２切替信号を出力することを特徴とする、
受信機。
【発明の詳細な説明】
【技術分野】
【０００１】
本発明は、ＯＦＤＭＡ（0rthognal Frequency Division Multiple Access：直交周波数分割多元接続）システムに於ける受信機に関する。より具体的には、本発明は、受信機に於ける受信レベルを制御する技術に関する。
【背景技術】
【０００２】
無線受信装置に於いては、受信信号のレベルが、当該無線受信装置内の受信回路の構成により決定されるダイナミックレンジ（以下「受信ダイナミックレンジ」という。）内にある場合に、受信信号が正しく復調される。このため、受信信号のレベルが受信ダイナミックレンジ内に維持される様に、受信信号の利得を制御するＡＧＣ（Auto Gain Control）機能を用いることで受信信号のレベルを制御している無線受信装置がある。
【０００３】
ところで、所定の周波数帯域内で複数のサブキャリアを用いて通信を行うＯＦＤＭＡに於いては、１サブチャネルを構成するサブキャリア（副搬送波）の数及びサブキャリアの周波数がそれぞれ可変であるので、サブチャネル毎に受信信号のレベルを制御することができない。このため、受信帯域全域で一律にＡＧＣ動作を実行する必要性がある。そのために、通信可能であったサブチャネルが、ＡＧＣ動作の適用によって通信不可能になってしまう場合がある。
【０００４】
その様な一例として、図６は、３台の移動局ＭＳ＃１〜ＭＳ＃３のそれぞれから送信される無線信号の基地局ＢＳに於ける受信信号のレベルを示す。同図(Ａ)に示される様に、移動局ＭＳ＃３の受信レベルは基地局ＢＳの受信ダイナミックレンジを超えており、逆に、移動局ＭＳ＃１の受信レベルは受信ダイナミックレンジ内にある。そこで、移動局ＭＳ＃３の受信レベルが受信ダイナミックレンジ内に収まる様に受信信号に対してＡＧＣ動作を適用すると、同図（Ｂ）に示す様に、受信帯域全域の受信レベルが一律に低下し、それまで受信可能であった移動局ＭＳ＃１から送信される無線信号が受信できない状況が発生する。
【０００５】
この様な問題点を回避するために、サブチャネルないしはサブキャリア毎に送信信号のレベルを制御する送信電力制御により、各サブチャネルの受信レベルを制御している先行技術がある（例えば、特許文献１を参照。）。
【０００６】
この場合に於いて、レピータ装置の様な中継装置を設置する場合には、送信電力制御は基地局とレピータ装置間で行われ、レピータ装置は固定利得で動作をするため、レピータ装置を介して通信を行う移動局での送信電力制御は一様になる。例えば、基地局からの送信信号のレベルが微弱な環境下でレピータ装置が基地局に対して最大送信電力レベルで通信を行う様な場合には、基地局は、レピータ装置を介して通信を行う移動局に対して、最大送信電力レベルで通信をすることを要求し、移動局は、この要求に応じて、最大送信電力レベルをレピータ装置に送信する。このため、移動局とレピータ装置間の電波の伝搬環境(例えば、距離)によっては、ダイナミックレンジが不足してしまい、レピータ装置を介した通信環境を使用できなくなってしまう。
【０００７】
これに対して、ＯＦＤＭＡの送信電力制御によらずに、受信信号の信号レベルを好適に制御することが可能なＯＦＤＭＡ受信装置が、特許文献２に開示されている。
【０００８】
この場合には、ＯＦＤＭＡ受信装置は、１）アンテナで受信した受信信号に対する利得を決定する受信利得決定部と、２）受信利得決定部により決定された利得に応じて、受信信号の受信レベルを制御するＡＧＣアンプと、３）ＡＧＣアンプにより制御された受信レベルを示すＲＳＳＩをサブキャリア毎に検出するＲＳＳＩ検出部と、４）受信信号の復調に要する受信レベルの範囲を示す復調可能レンジをサブチャネル毎に取得すると共に、ＲＳＳＩ検出部により検出された各ＲＳＳＩが復調可能レンジ内にあるかを判定するＲＳＳＩ判定部を備えている。そして、受信利得決定部は、ＲＳＳＩ検出部により検出されたＲＳＳＩの内で最大のＲＳＳＩとその最大のＲＳＳＩが検出されたサブチャネルの復調可能レンジとに基づいて、利得を制御している。
【先行技術文献】
【特許文献】
【０００９】
【特許文献１】特開２０００−３３２７２３号公報
【特許文献２】特開２００８−２８９０４６号公報
【発明の概要】
【発明が解決しようとする課題】
【００１０】
以上の様に、送信電力制御を用いる場合に於いて、レピータ装置の様な中継器を介して移動局が基地局と通信を行う場合には、送信電力レベルは基地局とレピータ装置間の信号伝搬環境により一様に決定されるため、移動局とレピータ装置間の伝搬環境(例えば、距離)によっては受信ダイナミックレンジが不足してしまい、レピータ装置を介した通信環境を使用することができなくなってしまう。加えて、移動局の信号を受信するレピータ装置の受信回路に於いて、当該受信回路内に実装される低雑音増幅器に入力される信号レベルが飽和領域に達してしまうと受信信号が圧縮され、通信環境を全く使用することができなくなる場合がある。又、受信ダイナミックレンジを確保するためにＡＧＣ動作を用いたとしても、フィードバック型／フィードフォワード型の制御が行われるために、受信信号に於ける先頭部分のレベル制御が追従できずに、一部の信号を正しく受信することができない状況が発生する。
【００１１】
この発明は斯かる問題点の認識を踏まえて成されたものであり、その目的は、複雑なＡＧＣ動作を適用することなく、広い受信ダイナミックレンジを有する受信機を提供することにある。
【課題を解決するための手段】
【００１２】
本発明の主題に係る受信機は、アンテナと、前記アンテナで受信した受信信号を入力信号とし且つ互いに異なる受信利得を有する複数の受信部と、前記複数の受信部の内で最も受信利得が大きい受信部が少なくとも飽和状態となったか否かを検出して、前記飽和状態が検出されない場合には前記最も受信利得が大きい受信部を選択する様に指令する第１切替信号を出力する一方、前記飽和状態が検出された場合には前記最も受信利得が大きい受信部を選択しない様に指令する第２切替信号を出力する切替信号発生部と、前記第１及び第２切替信号の指令内容に応じて前記複数の受信部の内から一つの受信部の出力信号を選択する信号選択回路を備えることを特徴とする。
【発明の効果】
【００１３】
本発明の主題によれば、最も受信利得が大きい受信部を飽和させてしまっても、他の受信部を選択することで受信信号の伝搬路を確保することが出来るので、受信ダイナミックレンジの拡大を図ることが出来る。
【００１４】
加えて、複数の受信部の中から正常に動作している受信部を選択する制御であるため、サブキャリア毎の信号処理等が伴わず、比較的簡易な手法であるため、複雑なデジタル信号処理を必要としないと言う効果も期待される。
【００１５】
以下、この発明の様々な具体化を、添付図面を基に、その効果・利点と共に、詳述する。
【図面の簡単な説明】
【００１６】
【図１】本発明の実施の形態１に係る受信装置のアンテナ毎の回路構成の一例を示すブロック図である。
【図２】本発明の実施の形態１に係る受信装置のアンテナ毎の回路構成の別例を示すブロック図である。
【図３】本発明の実施の形態２に係る受信装置のアンテナ毎の回路構成の一例を示すブロック図である。
【図４】本発明の実施の形態３に係る受信装置のアンテナ毎の回路構成の一例を示すブロック図である。
【図５】本発明の実施の形態４に係る受信装置のアンテナ毎の回路構成の一例を示すブロック図である。
【図６】３台の移動局のそれぞれから送信される無線信号の基地局に於ける受信信号の受信レベルを示す図である。
【発明を実施するための形態】
【００１７】
（実施の形態１）
図１は、本発明の実施の形態１に係る受信装置のアンテナ毎の回路構成の一例を示すブロック図である。従って、基地局等の受信装置は、一つのアンテナ毎に、図１に示される回路構成を併設する。
【００１８】
図１に於いて、１はアンテナ、２はサーキュレータ、４及び５は第１及び第２受信部、４４及び５４は第１及び第２Ａ／Ｄコンバータ、１０２は遅延回路、７は遅延回路１０２を通過した２つの受信信号の何れか一方を選択する信号選択回路、８は受信信号のレベルを調整するＡＧＣスケーリング回路、１００は信号選択回路７の切替信号を出力する受信電力検出回路（切替信号発生部に該当。）である。
【００１９】
ここで、サーキュレータ２の二つの出力端子Ｔ１，Ｔ２の通過損失には、素子の特性(方向性)により、レベル差が生じる。そこで、図１の構成例に於いては、通過損失が少ない方のサーキュレータ２の出力端子Ｔ１が第１受信部４と接続され、通過損失が大きい方のサーキュレータ２の出力端子Ｔ２が第２受信部５に接続される。加えて、サーキュレータ２と第２受信部５との間には、必要に応じて、利得調整用の減衰器を挿入しても良い。
【００２０】
第１及び第２受信部４，５は、１）受信信号を低雑音増幅する低雑音増幅器４０，５０、２）無線受信周波数信号をベースバンド信号に変換する周波数変換回路４１，５１、３）ベースバンド信号の不要波成分を除去する帯域通過フィルタ４２，５２、及び、４）ベースバンド信号を増幅するベースバンド増幅器４３，５３を備えている。尚、第１及び第２受信部４，５は共に集積回路として提供され、第１及び第２受信部４，５の通過利得は共に同一である。
【００２１】
次に、図１に示される回路の動作について記載する。
【００２２】
アンテナ１により受信された受信信号はサーキュレータ２に入力され、サーキュレータ２は、第１受信部４への入力信号、第２受信部５への入力信号、及び受信電力検出回路１００への入力信号に、受信信号を分配する。
【００２３】
第１受信部４に於いては、低雑音増幅器４０は、第１受信部４に入力された入力信号に対して低雑音増幅を行い、その後、周波数変換回路４１は、低雑音増幅された上記入力信号をベースバンド信号に周波数変換する。更に、帯域通過フィルタ４２は、ベースバンド信号中の不要波成分を低減し、ベースバンド増幅器４３は、帯域通過フィルタ４２を通過した後のベースバンド信号を増幅し、増幅後のベースバンド信号を、Ａ／Ｄコンバータ４４に、アナログベースバンド信号として供給する。
【００２４】
第２受信部５に於ける信号処理は、第１受信部４に於ける上記の信号処理と同様であるので、ここではその記載を省略する。
【００２５】
受信電力検出回路１００は、第１受信部４（低雑音増幅器４０）が飽和する信号レベル若しくは第１Ａ／Ｄコンバータ４４がオーバーフローする信号レベルを閾値として保有しており、第１受信部４に入力される信号のレベルを検出した上で、第１受信部４に入力される信号（検出信号）のレベルが上記閾値を超えたか否かに応じて、信号選択回路７の切替制御を行う切替信号のレベルを変更して出力する。即ち、受信電力検出回路１００は、１）上記検出信号が上記閾値以下の場合には、第１受信部４の出力のＡ／Ｄ変換及び遅延処理後の信号を選択する様に信号選択回路７を制御する切替信号（例えば、そのレベルは“１”とする。第１切替信号に該当。）を出力し、２）上記検出信号が上記閾値を超える場合には、逆に第２受信部５の出力のＡ／Ｄ変換及び遅延処理後の信号を選択する様に信号選択回路７を制御する切替信号（例えば、そのレベルは“０”とする。第２切替信号に該当。）を出力する。
【００２６】
第１及び第２Ａ／Ｄコンバータ４４，５４は、その各々に入力されたアナログベースバンド信号に対してアナログ・デジタル変換を行う。その後、遅延回路１０２は、第１及び第２Ａ／Ｄコンバータ４４，５４の各出力信号に対して遅延調整を行い、その出力信号を信号選択回路７に出力する。
【００２７】
信号選択回路７は、受信電力検出回路１００から出力される切替信号のレベルに応じて、２つの系統から入力される受信信号の一方を選択する。
【００２８】
ＡＧＣスケーリング回路８は、信号選択回路７から出力された信号に対して、必要に応じて信号レベルの調整を行い、その後、ＡＧＣスケーリング回路８の出力は、受信データとして、信号処理される。
【００２９】
尚、図１に於いて、第１及び第２受信部４，５の出力側に第１及び第２Ａ／Ｄコンバータ４４，５４を設けないで、信号選択回路７とＡＧＣスケーリング回路８との間に、Ａ／Ｄコンバータを設けることとしても良い。この場合の受信電力検出回路１００が保有する閾値は、第１受信部４が飽和する信号レベルとなる。因みに、この変形例は、後述する実施の形態２に於いても妥当する。
【００３０】
又、図２は、本発明の実施の形態１に係る受信装置のアンテナ毎の回路構成の別例（図１の変形例）を示すブロック図である。この変形例では、基地局等の受信装置は、一つのアンテナ毎に、３つの受信部（従って、受信利得が３つである。）を有する回路構成を併設する。図２に於いては、先ず、通過損失が少ない方の第１サーキュレータ２ａの出力端子Ｔ１が第１受信部４と接続され、通過損失が大きい方の第１サーキュレータ２ａの出力端子Ｔ２が後述する第２サーキュレータ２ｂの入力端子に接続される。更に、通過損失が少ない方の第２サーキュレータ２ｂの出力端子Ｔ３が第２受信部５と接続され、通過損失が大きい方の第２サーキュレータ２ｂの出力端子Ｔ４が第３受信部６に接続される。そして、図１の場合と同様に、第１〜第３受信部４，５，６は共に同一の集積回路構成及び同一の動作を備えており、且つ、第１〜第３受信部４，５，６の通過利得も共に同一である。従って、図２の回路に於いては、第１受信部４、第２受信部５及び第３受信部６の順序で、各受信部４〜６の受信利得は段々と小さくなる。図２の場合の受信部の選択方法としては、通常は先ず、第１受信電力検出回路１００ａは、信号選択回路７が第１受信部４の系統からの受信信号を選択する。次に、第１受信部４が正常に受信信号を受信出来ない状態（即ち、第１受信部４に入力する信号の検出信号のレベルが、低雑音増幅器４０の電流レベルないしはＡ／Ｄコンバータ４４がオーバーフローする信号レベルで定まる第１閾値を超えている場合に該当する。）となった場合には、第１受信電力検出回路１００ａは信号選択回路７へ出力している切替信号のレベルを変更した上で、第２受信電力検出回路１００ｂは、第２受信部５が正常に受信信号を受信出来るか否かを、同回路１００ｂが保有する第２閾値との大小関係により同様に判断する。そして、第２受信部５が正常に受信信号を受信出来ることを同回路１００ｂが確認した場合（第２受信部５に入力する信号の検出信号のレベル≦閾値）には、信号選択回路７が第２受信部５の系統からの受信信号を選択する様に、第２受信電力検出回路１００ｂは、切替信号のレベルを設定して当該切替信号を信号選択回路７へ出力する。他方、第２受信部５が正常に受信信号を受信出来ないことを第２受信電力検出回路１００ｂが確認した場合（第２受信部５に入力する信号の検出信号のレベル＞閾値）には、信号選択回路７が第３受信部６の系統からの受信信号を選択する様に、第２受信電力検出回路１００ｂは、切替信号のレベルを設定して当該切替信号を信号選択回路７へ出力する。尚、図２の場合に於いても、第１、第２及び第３Ａ／Ｄコンバータ４４，５４，６４を設ける代わりに、信号選択回路７とＡＧＣスケーリング回路８との間に、Ａ／Ｄコンバータを設けることとしても良い。
【００３１】
以上の様に、本実施の形態では、アンテナから受信した信号をサーキュレータによって異なる二つレベルの信号に変換することで、アンテナからＡ／Ｄコンバータまでの受信利得が異なる複数の受信部を構成することが可能となる。又、複数の受信部の内で信号利得が最も大きい受信部に入力される信号レベルを検出し、受信部の飽和信号レベル若しくはＡ／Ｄコンバータがオーバーフローする信号レベルを閾値として切替信号を出力する受信電力検出回路を用いて、各Ａ／Ｄコンバータから出力されたデジタル信号を選択することで受信ダイナミックレンジの広い受信機を構成することが可能となる。
【００３２】
又、本実施の形態によれば、従来技術の様なフィードバック系を用いた場合と比べて、回路規模の削減化及びそれに伴う消費電力の削減化（省エネルギー化）を図り得ると言う利点も得られる。
【００３３】
又、本実施の形態によれば、集積化された複数の受信部４，５，６を用いることから、比較的安価で且つ実装面積等にも影響の少ない回路構成を実現することが出来る。この点は、後述する各実施の形態２〜４に於いても同様に妥当する。
【００３４】
（実施の形態２）
図３は、本発明の実施の形態２に係る受信装置のアンテナ毎の回路構成の一例を示すブロック図である。図３の回路構成が図１の回路構成と相違する特徴点は、図１の受信電力検出回路１００に代えて、第２受信部５よりも受信利得の大きな第１受信部４の低雑音増幅器４０に供給される電流レベルを検出して切替信号を出力する電流検出回路（切替信号発生部に該当。）１０１を設けた点にある。尚、本実施の形態に於いても、実施の形態１で記載した図２の様な変形例に於ける技術的思想を適用しても良い。
【００３５】
本実施の形態では、アンテナ１の端子から信号選択回路７までの信号処理過程は、実施の形態１と同じであるため、ここでは、それらの記載を省略する。
【００３６】
本構成では、複数の受信部の内で、アンテナからＡ／Ｄコンバータまでの受信利得が最も大きい第１受信部４の低雑音増幅器４０に供給される電流レベルが、電流検出回路１０１により検出される。電流検出回路１０１は、第１受信部４が飽和する際に流れる電流レベル若しくは第１Ａ／Ｄコンバータ４４がオーバーフローする際に流れる電流レベルを閾値として保有している。そして、同回路１０１は、１）検出した電流レベルがその閾値以内の場合には、信号選択回路７が第１受信部４の系統からの受信信号を選択する様に信号選択回路７を制御するレベルを有する切替信号（例えば、レベルが“１”の場合。第１切替信号に該当。）を出力する一方、２）検出した電流レベルが上記閾値を超えている場合には、信号選択回路７が第２受信部５の系統からの受信信号を選択する様に信号選択回路７を制御するレベルを有する切替信号（例えば、レベルが“０”の場合。第２切替信号に該当。）を出力する。
【００３７】
本実施の形態によれば、上記の切替信号を用いて信号選択回路１０２を選択動作させることで、受信ダイナミックレンジの広い受信機を提供することが可能となる。
【００３８】
又、本実施の形態に於いても、従来技術との比較に於いて、回路規模の削減化及びそれに伴う消費電力の削減化（省エネルギー化）を図り得る。
【００３９】
（実施の形態３）
図４は、本発明の実施の形態３に係る受信装置のアンテナ毎の回路構成の一例を示すブロック図である。図４の回路構成が図１の回路構成と相違する特徴点は、図１の受信電力検出回路１００及び遅延回路１０２を設ける代わりに、第１及び第２Ａ／Ｄコンバータ４４，５４から出力されるデジタルベースバンド信号同士を比較・選択することで信号選択回路７の選択動作を制御する信号を発する信号検出比較回路（切替信号発生部に該当。）１０３を設けた点にある。その他の構成要素は、図１の対応する構成要素と同一である。尚、本実施の形態に於いても、実施の形態１で記載した図２の様な変形例に於ける技術的思想を適用しても良い。
【００４０】
次に、図４の回路の動作について記載する。但し、本実施の形態に於ける、アンテナ端からＡ／Ｄコンバータまでの信号処理過程は、実施の形態１のそれと同じであるため、ここでは、その記載を省略する。
【００４１】
各受信部４，５の受信利得は通常一定であるため、それぞれのＡ／Ｄコンバータ４４，５４から出力されるデジタルベースバンド信号を比較すると、一定のレベル差が生じている。そこで、信号検出比較回路１０３は、予め、それぞれのデジタルベースバンド信号レベルの差分（一定値）を、デジタル信号レベルで記録しておく。１）それぞれの受信部４，５が正常に動作している場合には、それぞれのＡ／Ｄコンバータ４４，５４から出力されるデジタルベースバンド信号のレベル差は記録された値に保たれているため、信号利得の最も大きな第１受信部４を通過した受信信号を選択する切替信号（第１切替信号に該当。）が、信号検出比較回路１０３より信号選択回路７に出力され、その結果、信号選択回路７は、第１受信部４を通過した受信信号を選択する。２）第１受信部４が飽和動作若しくは第１Ａ／Ｄコンバータ４４のオーバーフローによるダイナミックレンジ不足の状態になると、第１Ａ／Ｄコンバータ４４から出力されるデジタル信号は固定値となるため、当該デジタル信号を、他方の第２Ａ／Ｄコンバータ５４から出力されるデジタル信号と比較すると、レベル差が通常時の記録された値よりも小さくなる。この場合には、信号検出比較回路１０３は、第２受信部５で処理された受信信号を選択する様に制御する切替信号（第２切替信号に該当。）を信号選択回路７へ出力し、その結果、信号選択回路７は、第２受信部５で処理された受信信号を選択する。即ち、信号検出比較回路１０３は、１）第１及び第２Ａ／Ｄ変換器４４，５４の信号レベルの差分が所定レベル（予め記録された値）にある場合には、第１受信部４の出力のＡ／Ｄ変換後の信号を選択する様に信号選択回路７を制御し、２）第１及び第２Ａ／Ｄ変換器４４，５４の信号レベルの差分が上記所定レベルよりも小さくなる場合には、逆に第２受信部５の出力のＡ／Ｄ変換後の信号を選択する様に信号選択回路７を制御する。
【００４２】
以上の様に、本実施の形態によれば、受信部の低雑音増幅器の飽和による受信利得の低下又はＡ／Ｄコンバータのオーバーフローによる受信利得の低下をデジタルベースバンド信号のレベル差として比較するため、アナログ部での検出回路が不要となる。これにより、実装面積を削減した（小型化）、広い受信ダイナミックレンジを有する受信機を提供することが可能となる。
【００４３】
又、本実施の形態に於いても、従来技術との比較に於いて、回路規模の削減化及びそれに伴う消費電力の削減化（省エネルギー化）を図り得る。
【００４４】
（実施の形態４）
図５は、本発明の実施の形態４に係る受信装置のアンテナ毎の回路構成の一例を示すブロック図である。図５の回路構成が図１の回路構成と相違する特徴点は、図１の受信電力検出回路１００を設ける代わりに、最も受信利得が大きな第１受信部４の出力側に第１Ａ／Ｄコンバータ４４Ａを設けた点にある。即ち、本実施の形態に係る受信装置は、第１Ａ／Ｄコンバータ４４Ａが出力するオーバーフロー検出信号を信号選択回路７の選択信号として用いることを特徴とする。その他の構成要素は、図１の対応する構成要素と同一である。尚、本実施の形態に於いても、実施の形態１で記載した図２の様な変形例に於ける技術的思想を適用しても良い。
【００４５】
本実施の形態に於ける、アンテナ端から信号選択回路までの信号処理過程は実施の形態１のそれと同じであるため、ここでは、その動作の記載を省略する。
【００４６】
最近のＡ／Ｄコンバータの中には、Ａ／Ｄコンバータから出力されるデジタル信号レベルが最大レベルとなり信号処理がオーバーフローとなった場合に、アラーム信号を出力する機能を備えるものがある。本構成では、この様な機能を備えるＡ／Ｄコンバータを、最も受信利得が大きな第１受信部４の出力側の第１Ａ／Ｄコンバータ４４Ａとして用いる。
【００４７】
即ち、アンテナからＡ／Ｄコンバータまでの受信利得が最も大きい第１受信部４の出力端に接続される第１Ａ／Ｄコンバータ４４Ａが、オーバーフロー処理となった場合に、第１Ａ／Ｄコンバータ４４Ａから出力されるアラーム信号は、オーバーフロー検出信号として、信号選択回路７に入力され、このオーバーフロー検出信号の入力の有無に応じて、信号選択回路７は、受信信号を選択する。換言すれば、１）第１Ａ／Ｄ変換器４４Ａからアラーム信号が出力されていない場合（第１切替信号が出力されている状態に該当。）には、信号選択回路７は、第１受信部４の出力のＡ／Ｄ変換後の信号を選択する様に制御され、２）第１Ａ／Ｄ変換器４４Ａからアラーム信号（第２切替信号に該当。）が出力されると、信号選択回路７は、第２受信部５の出力のＡ／Ｄ変換後の信号を選択する様に切り替え制御される。
【００４８】
これにより、第１Ａ／Ｄコンバータ４４Ａが受信信号のレベルに起因してオーバーフロー状態になっても、受信信号を、第２受信部５の出力端に接続される第２Ａ／Ｄコンバータ５４の信号に切替えることが可能となり、より広い受信ダイナミックレンジを有する受信機を提供することが可能となる。
【００４９】
又、本実施の形態に於いても、従来技術との比較に於いて、回路規模の削減化及びそれに伴う消費電力の削減化（省エネルギー化）を図り得る。
【００５０】
更に、本実施の形態によれば、実施の形態１及び２と異なり、図１〜図３の様な新たな検出回路を設けなくて済み、第１Ａ／Ｄ変換器４４Ａが検出回路の機能を兼ねるので、受信機の小型化を図ることが出来ると言う利点も得られる。
【００５１】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００５２】
本発明は、例えば、無線通信システムに於ける基地局又は中継局の受信機に適用して好適である。
【符号の説明】
【００５３】
１  アンテナ、２  サーキュレータ、４，５，６  受信部、７  信号選択回路、８  ＡＧＣスケーリング回路、４０，５０，６０  低雑音増幅器(ＬＮＡ）、４１，５１，６１  周波数変換器、４２，５２，６２  帯域通過フィルタ、４３，５３，６３  ベースバンド増幅器、４４，４４Ａ，５４，６４  Ａ／Ｄコンバータ、１００  受信電力検出回路、１０１  電流検出回路、１０２  遅延回路、１０３  信号検出比較回路。
【図１】
2010283717.tif 000003
【図２】
2010283717.tif 000004
【図３】
2010283717.tif 000005
【図４】
2010283717.tif 000006
【図５】
2010283717.tif 000007
【図６】
2010283717.tif 000008